(57)【要約】本発明はポータブルビデオレコーダーシステムに関する。本システムは、撮像装置（１２）、ビデオ圧縮手段（１４）、ビデオ圧縮手段の出力によって満たされるバッファーメモリ（１６）と、及び狭い範囲を有する低いデータ率の無線送信機器（１８，１９）を含有するビデオ撮影部分（１０）と、並びに受信設備（２２，２４）と、及びカセットか、テープか、ディスクか、又は固体状のメモリ記録ユニット（２８）を含有する記録部分（２０）とを含む。好ましくは、手段は撮像装置のメモリからデータの同時送信と、かかるメモリの充満のために提供される。
2004506391.tif 000002
【特許請求の範囲】
【請求項１】
ポータブルビデオレコーダーシステムであって、
撮像装置（１２）、ビデオ圧縮手段（１４）、該ビデオ圧縮手段の出力によって満たされるバッファーメモリ（１６）と、及び狭い範囲を有する低いデータ率の無線送信機器（１８，１９）を含有するビデオ撮影部分（１０）と、並びに
受信設備（２２，２４）と、及びカセット、テープ、ディスク、又は固体状のメモリ記録ユニット（２８）を含有する記録部分（２０）と、
を含有することを特徴とするポータブルビデオレコーダーシステム。
【請求項２】
前記撮像装置の前記メモリからデータの同時送信及び前記メモリの充満のための手段を含有することを特徴とする請求項１に記載のポータブルビデオレコーダーシステム。
【請求項３】
前記ビデオ撮影部分（１０）の低いデータ率の送信設備は、前記ビデオ撮影部分の前記バッファーメモリ（１６）を充満するデータ率よりも約１０倍低い送信率を有することを特徴とする請求項１又は２に記載のポータブルビデオレコーダーシステム。
【請求項４】
前記記録部分（２０）は、前記無線送信データよりも高い率で前記カセット、前記テープ、前記ディスク、又は前記固体状のメモリにデータを提供するバッファーメモリ（２６）を含むことを特徴とする請求項１、２又は３に記載のポータブルビデオレコーダーシステム。
【請求項５】
前記無線送信設備の前記データ率は、約２メガビット／秒であることを特徴とする前述までの請求項の何れかに記載のポータブルビデオレコーダーシステム。
【請求項６】
音声部分を検出し、前記撮影部分の前記バッファーメモリに記憶し、且つビデオデータと共に送信するための手段を含むことを特徴とする前述までの請求項の何れかに記載のポータブルビデオレコーダーシステム。
【発明の詳細な説明】
【０００１】
本発明はポータブルビデオレコーダーシステムに関する。
【０００２】
現在市販されているカムコーダーは非常に軽量であるかもしれないし、さらに自動的な操作であるかもしれない。したがって、それらの使用は非常に簡単である。しかしながら、カムコーダーの操作を制御するために両手を使用することが必要である。これは、例えば、ユーザが撮影する場合において注釈などを書き取りたい場合にカムコーダーにおけるある使用法にとっては不便となるかもしれない。
【０００３】
それゆえにカムコーダーの処理及び記録部分と撮像部分を分離することを提案する。実際に、機械的な記録部分はエネルギー消費量が最も高く、カムコーダーの最も重い部分である。この場合、撮像装置とバッファーメモリを含む、第一部分は非常に軽量で、例えば、額上で自由に持ち運べるかもしれない。撮影後、バッファーメモリは、かかるバッファーメモリよりも大容量のカセット又はテープに記録を転送するために使用されるかもしれない。
【０００４】
しかしながら、バッファーメモリは、例えば、約１分間の記録をする限定された容量を有する。したがって、メモリの内容をカセットに頻繁に転送する必要があり、この操作は非常に不便である。さらに、転送中には撮像装置は使用不可能である。
【０００５】
本発明はかかる欠点を克服する。
【０００６】
本発明によるポータブルビデオ記録システムは、
撮像装置、ビデオ圧縮手段、ビデオ圧縮手段の出力によって満たされるバッファーメモリと、及び狭い範囲を有する低いデータ率の無線送信機器を含有するビデオ撮影部分と、並びに
受信設備と、及びカセットか、テープか、ディスクか、又は固体状の記録ユニットを含有する記録部分と、
を含むという事実により特徴づけられる。
【０００７】
当然のこととして、圧縮の有無に関係なく音声部分のデータは、一般的に、圧縮されたビデオデータと共に送信される。
【０００８】
無線送信を使用することで、ユーザは記録部分をポケット又はバックに入れて持ち運ぶかもしれない。
【０００９】
好ましくは、システムは撮像装置のメモリからデータを同時に送信し、かかるメモリを充満するための手段を含む。したがって、カセット、テープ、ディスク又は固体状態のメモリへの送信及び記録は、撮像装置による場面の撮影中に起こる。
【００１０】
実施態様において、記録部分は、無線送信データよりも高い率でカセット、テープ、ディスク、又は固定状のメモリにデータを提供するバッファーメモリを含む。
【００１１】
２つのバッファーメモリを設備することで、従来のカセット又はディスクの記録ユニットの使用が可能であり、第一メモリを満たすデータ率と比較して非常に低いデータ率におけるデータ送信が可能である。したがって、送信手段は非常に安価であるかもしれない。例えば、かかる送信手段は、携帯電話機端末からスピーカーへのデータ送信、又はマイクロホンから携帯電話機端末へのデータ送信が現在利用可能であるようなものであるかもしれない。
【００１２】
記録部分への送信によって空になるより高い率でビデオ撮影部分のバッファーメモリが充満されるので、かかるバッファーメモリは、例えば、撮影１分後に急速に飽和されるかもしれない。これは、ビデオ記録システムは断続的に、つまり、撮影の１分後にのみ使用すべきであり、バッファーメモリのスペースが利用可能になるために数分間待つことが必要である。本システムの断続的な操作は、カムコーダーを操作する通常の方法に相当するので欠点ではない。場面の記録時間は、一般的に１０秒間乃至最大１分間であり、２場面の撮影を分離する時間は数分であるかもしれない。
【００１３】
要約すると、本発明は、
撮像装置、ビデオ圧縮手段、ビデオ圧縮手段の出力によって充満されるバッファーメモリと、及び狭い範囲を有する低いデータ率の無線送信機器とを含有するビデオ撮影部分と、並びに
受信設備と、及びカセットか、テープか、ディスクか、又は固体状のメモリ記録ユニットを含有する記録部分と、
を含むポータブルビデオレコーダーシステムに関する。
【００１４】
好ましい実施態様において、ポータブルビデオレコーダーシステムは、撮像装置のメモリからデータを同時に無線送信し、かかるメモリを満たすための手段を含む。
【００１５】
実施態様において、ビデオ撮影部分の低いデータ率の送信設備は、かかるビデオ撮影部分のバッファーメモリを満たすデータ率よりも約１０倍低い送信率を有する。
【００１６】
記録部分は、好ましくは、無線送信データよりも高い率でカセットか、テープか、ディスクか、又は固体状のメモリにデータを提供するバッファーメモリを含む。
【００１７】
無線送信設備のデータ率は、約２メガビット／秒であるかもしれない。
【００１８】
ポータブルビデオレコーダーシステムは、好ましくは、音声部分を検出し撮影部分のバッファーメモリに記憶し、且つビデオデータと共に送信するための手段を含む。
【００１９】
本発明の他の特徴と利点は、本発明によるビデオ記録システムを表す、ここに付随された図を参照してなされる、実施態様の記載から明らかになるだろう。
【００２０】
図に表されたビデオレコーダーシステムは、音声部分とビデオを撮影するための第一部分１０と音声部分とビデオのカセット記録のための第二部分２０である、二部分を含む。
【００２１】
第一部分１０は、好ましくは額で持ち運べるために非常に軽量となる設計がされる。かかる第一部分１０は、レンズとマイクロホン（ここに示されていない）を備える、典型的な撮像装置１２を含む。画像はＣＣＤカメラによって検出される。ビデオと音声部分圧縮手段１４は、音声部分とＴＶデータを受信して、例えば、ＭＰＥＧ２又はＭＰＥＧ４基準にしたがって圧縮する。
【００２２】
音声部分とビデオが圧縮されたデータは、例えば、１ギガビットの容量を有する、バッファーメモリ１６に提供され、かかるバッファーメモリ１６のデータは、送信アンテナ１９により低いデータ率でデータを送信するために通信インターフェイス１８に提供される。通信設備は、隣接する設備からの妨害を回避するために狭い範囲を有する。
【００２３】
実施例では、メモリ１６は約２２メガビット／秒の率で満たされ、アンテナ１８の送信率は２メガビット／秒である。
【００２４】
アンテナ１９によって送信されるデータは、インターフェイス２４により受信データをバッファーメモリ２６に提供する受信アンテナ２２によって受信され、かかるバッファーメモリ２６は受信されて圧縮された音声部分とビデオデータをカセットレコーダー２８に提供する。実施例では、かかる記録部分２０はまた、ＬＣＤディスプレイ３０を備えて提供される。
【００２５】
撮像部分１０の操作を制御するためのバッテリー（示されていない）は非常に小さいかもしれない。かかる撮像部分１０は完全な自動操作を有するかもしれない。実施態様における場面の撮影において、その使用は、ユーザの目によって観察された方向における場面に対物レンズの焦点を合わせるために、目の観察方向を検出する従来の目のコントローラーでなされる。
【００２６】
実施例では、バッファーメモリは１ギガビットの容量を有し、約２２メガビット／秒の率で満たされて、２メガビット／秒の送信率である、つまりメモリ１６からの排出率がメモリを空にするために十分でないために、撮影の約１分後に満たされる（飽和される）。メモリ１６のすべての内容をメモリ２６に送信するためには約１０分間を要する。一般的に場面は断続的に撮影されるので、本システムで必要な断続的な操作はこのようなビデオレコーダーシステムにおいて全く問題なく受け入れ可能である。
【００２７】
換言すると、低価格のポータブルビデオレコーダーシステムを提供するために、本発明は低い送信率の慎重な選択に基づき、かかる低いデータ率の送信は同様の製品の共通使用で互換性がある。
【００２８】
カセットレコーダーに代わって、例えば、ハードディスクレコーダーである、光又は磁気記録を含有する、ＩＣメモリレコーダー又はディスクレコーダーなどの任意のタイプの記録ユニットが使用されるかもしれない。
【図面の簡単な説明】
【図１】音声部分とビデオを撮影するための第一部分１０と音声部分とビデオのカセット記録のための第二部分２０である、二部分を含むビデオレコーダーシステムを表す。
【国際公開パンフレット】
2004506391.tif 000003
2004506391.tif 000004
2004506391.tif 000005
2004506391.tif 000006
2004506391.tif 000007
2004506391.tif 000008
2004506391.tif 000009
2004506391.tif 000010
【国際調査報告】
2004506391.tif 000011
2004506391.tif 000012